(57)【特許請求の範囲】
【請求項１】
洗浄タンク内に吐水するタンク内吐水口と、便器への補給水を吐水する補給水吐水口とを有し、排水弁の開弁により洗浄タンク内の洗浄水が放出されることで給水弁を開いて前記タンク内吐水口と補給水吐水口とから吐水を行い、該タンク内への給水と、該タンク内の導水管を通じて便器への補給水の給水を行うとともに、該タンク内の水位が満水位置まで上昇することで前記給水弁を閉じて給水停止する給水装置を備えた洗浄タンク装置において、
(ａ)前記補給水吐水口からの補給水を下向きに注水する注水部と、
(ｂ)該注水部の下側且つ前記導水管の上側に配置されて該注水部から注水された補給水を受ける、底部に通水孔を有する補給水受部と、
(ｃ)前記通水孔を開閉する栓体と、
(ｄ)前記タンク内の水位と連動して昇降する浮子と、
を有し、前記補給水受部と前記栓体との一方が固定状態に、他方が前記浮子と連動して昇降する状態に該一方の上側に設けてあり、該浮子の下降により前記栓体にて前記通水孔を閉鎖する一方、該浮子の上昇により該通水孔を開いて、前記補給水受部に注水された前記補給水を、該通水孔を通じ前記導水管内に流入させる補給水の給水遅延機構を設けたことを特徴とする洗浄タンク装置。
【請求項２】
請求項１において、前記補給水受部には、周方向の一部に、該補給水受部で受けた補給水を前記導水管の外部に案内する働きを有する流出ガイドが設けてあることを特徴とする洗浄タンク装置。
【請求項３】
請求項１，２の何れかにおいて、前記栓体が、前記補給水受部の上側に前記浮子と連動して昇降する状態に設けてあり、該栓体は、上部が円錐状を、下部が逆円錐状を、中間部が柱状をなす形状に構成してあることを特徴とする洗浄タンク装置。
【請求項４】
洗浄タンク内に吐水するタンク内吐水口と、便器への補給水を吐水する補給水吐水口とを有し、排水弁の開弁により洗浄タンク内の洗浄水が放出されることで給水弁を開いて前記タンク内吐水口と補給水吐水口とから吐水を行い、該タンク内への給水と、該タンク内の導水管を通じて便器への補給水の給水を行うとともに、該タンク内の水位が満水位置まで上昇することで前記給水弁を閉じて給水停止する給水装置を備えた洗浄タンク装置において、
(ａ)前記補給水吐水口からの補給水を下向きに注水する注水部と、
(ｂ)前記タンク内の水位と連動して昇降する浮子と、
(ｃ)該注水部からの補給水を受けて該補給水の流れをガイドする働きを有し、前記導水管の上端よりも上側位置と下側位置との間を前記浮子に連動して昇降し、該導水管の上端よりも上側位置で前記注水部からの補給水を受けることで、該補給水を該上端の開口を通じ該導水管の内部に流入させる一方、該上端よりも下側位置で前記注水部からの補給水を受けることで、該補給水を該導水管の外部且つ前記タンク内に流入させる補給水ガイドと、
を有する補給水の給水遅延機構を設けたことを特徴とする洗浄タンク装置。
【請求項５】
請求項４において、前記浮子が前記導水管に対して昇降可能に嵌合されているとともに、該浮子からはアームが立ち上っていて、該アームの上端部に前記補給水ガイドが設けてあり、
該補給水ガイドは、前記導水管の上端よりも下側位置で受けた前記補給水を該アームと該導水管との間に流出させるものとなしてあるとともに、
該アームと前記導水管との間には、該補給水ガイドから流出した補給水を通水してタンク内部に流入させる通水間隙が設けてあることを特徴とする洗浄タンク装置。
【請求項６】
洗浄タンク内に吐水するタンク内吐水口と、便器への補給水を吐水する補給水吐水口とを有し、排水弁の開弁により洗浄タンク内の洗浄水が放出されることで給水弁を開いて前記タンク内吐水口と補給水吐水口とから吐水を行い、該タンク内への給水と、該タンク内の導水管を通じて便器への補給水の給水を行うとともに、該タンク内の水位が満水位置まで上昇することで前記給水弁を閉じて給水停止する給水装置を備えた洗浄タンク装置において、
(ａ)タンク内の水位と連動して昇降する浮子と、
(ｂ)前記補給水吐水口からの補給水を注水開口から下向きに注水する注水部と、を有し、
該注水部が、該注水開口を前記導水管の上端の開口よりも上側に位置させて前記補給水を該注水開口から該導水管内に注水する状態と、下側に位置させて該補給水を該注水開口から該導水管の外部且つ前記タンク内に注水する状態との間で前記浮子の昇降と連動して昇降する補給水の給水遅延機構が設けてあることを特徴とする洗浄タンク装置。
【発明の詳細な説明】
【技術分野】
【０００１】
この発明は洗浄タンク装置に関し、詳しくは便器への補給水を遅延して給水する補給水の給水遅延機構を有する洗浄タンク装置に関する。
【背景技術】
【０００２】
従来、便器洗浄のための洗浄タンク装置には、洗浄タンク（以下単にタンクとすることがある）内の洗浄水が排水弁の開弁により放出されることで自動的にタンク内に給水を行い、タンク内を満水化する給水装置が備えられている。
【０００３】
通常この給水装置としては、フロートと、フロートの昇降に連動して開閉する給水弁と、タンク内に吐水するタンク内吐水口とを備え、フロートの下降により給水弁を開いてタンク内吐水口から吐水を行い、フロートの上昇により給水弁を閉じて給水停止するボールタップが用いられる。
【０００４】
ところで、サイホン式便器にあっては、便器洗浄時に洗浄タンク内の洗浄水が便器に放出されることで、便器の鉢内の溜水をサイホン作用によって一挙に下流側に排出する。
従ってこのサイホン式便器にあっては、一旦溜水を排出した後に再び鉢内に一定量の溜水を溜めるための補給水を給水することが必要となる。
【０００５】
そこでサイホン式便器のための洗浄タンク装置、詳しくはこれに備えた給水装置としてのボールタップには、タンク内吐水口と補給水吐水口とを設けておき、排水弁の開弁により洗浄タンク内の洗浄水が放出されたとき、給水弁を開いてタンク内吐水口からタンク内に吐水を行うのと併せて、補給水吐水口から補給水を吐水し、便器の排水トラップ部に向けて給水するようにしている。
このときの補給水の給水は、具体的にはタンク内に設けてあるオーバーフロー管等の導水管、詳しくは便器の排水トラップ部に向けて補給水を導く導水管に、補給水吐水口からの吐水を流入させることで行う。
【０００６】
ところでサイホン式便器のための従来の洗浄タンク装置の給水装置は、排水弁の開弁直後からタンク内吐水口からタンク内に吐水するのと同時に、補給水吐水口からも補給水の吐水を行っていた。
つまり便器内でサイホンが起るまでの間も、便器に向けて補給水の給水を行っていた。
このとき便器に給水された補給水は、サイホン後において便器に再び溜水を溜めるための水としては用いられないものであり、この間の給水が無駄に消費されてしまうこととなる。
【０００７】
また大洗浄時と小洗浄時とでは、洗浄水の放出水量の相違により補給水の給水量が異なることから、小洗浄時に合せて補給水の給水量を設定しておくと、大洗浄時においては補給水の給水量が過剰となり、その過剰分が無駄な補給水となって失われてしまう問題も生じる。
【０００８】
尚、本発明に対する先行技術として、下記特許文献１には「水栓便器給水装置」についての発明が示され、そこにおいて、給水装置から補助給水管を分岐して延び出させて、これをオーバーフロー管に接続し、給水装置からの補給水をオーバーフロー管を通じて便器に給水するとともに、補助給水管には分岐排出部を有する接続管具を連結しておき、補助給水管を流れる水の一部をタンク内へと流出させるようになした点、また分岐排出部は先端側ほど縮径した形状となし、その切断位置を変更することでタンク内への流出流量を調節し、封水用として供給される補給水の水量を調節できるようにした点が開示されている。
但しこの特許文献１に開示のものでは、サイホンが起るまでの間も補給水が便器に向けて給水されてしまう問題を解決することはできない。
【先行技術文献】
【特許文献】
【０００９】
【特許文献１】特開２０００−２４８５９７号公報
【発明の概要】
【発明が解決しようとする課題】
【００１０】
本発明は以上のような事情を背景とし、サイホンが起るまでの間に給水装置から便器に向けて補給水が給水されてしまう無駄を無くし、適正なタイミングで且つ適正な水量で便器に補給水を給水することのできる洗浄タンク装置を提供することを目的としてなされたものである。
【課題を解決するための手段】
【００１１】
而して請求項１のものは、洗浄タンク内に吐水するタンク内吐水口と、便器への補給水を吐水する補給水吐水口とを有し、排水弁の開弁により洗浄タンク内の洗浄水が放出されることで給水弁を開いて前記タンク内吐水口と補給水吐水口とから吐水を行い、該タンク内への給水と、該タンク内の導水管を通じて便器への補給水の給水を行うとともに、該タンク内の水位が満水位置まで上昇することで前記給水弁を閉じて給水停止する給水装置を備えた洗浄タンク装置において、(ａ)前記補給水吐水口からの補給水を下向きに注水する注水部と、(ｂ)該注水部の下側且つ前記導水管の上側に配置されて該注水部から注水された補給水を受ける、底部に通水孔を有する補給水受部と、(ｃ)前記通水孔を開閉する栓体と、(ｄ)前記タンク内の水位と連動して昇降する浮子と、を有し、前記補給水受部と前記栓体との一方が固定状態に、他方が前記浮子と連動して昇降する状態に該一方の上側に設けてあり、該浮子の下降により前記栓体にて前記通水孔を閉鎖する一方、該浮子の上昇により該通水孔を開いて、前記補給水受部に注水された前記補給水を、該通水孔を通じ前記導水管内に流入させる補給水の給水遅延機構を設けたことを特徴とする。
【００１２】
請求項２のものは、請求項１において、前記補給水受部には、周方向の一部に、該補給水受部で受けた補給水を前記導水管の外部に案内する働きを有する流出ガイドが設けてあることを特徴とする。
【００１３】
請求項３のものは、請求項１，２の何れかにおいて、前記栓体が、前記補給水受部の上側に前記浮子と連動して昇降する状態に設けてあり、該栓体は、上部が円錐状を、下部が逆円錐状を、中間部が柱状をなす形状に構成してあることを特徴とする。
【００１４】
請求項４のものは、洗浄タンク内に吐水するタンク内吐水口と、便器への補給水を吐水する補給水吐水口とを有し、排水弁の開弁により洗浄タンク内の洗浄水が放出されることで給水弁を開いて前記タンク内吐水口と補給水吐水口とから吐水を行い、該タンク内への給水と、該タンク内の導水管を通じて便器への補給水の給水を行うとともに、該タンク内の水位が満水位置まで上昇することで前記給水弁を閉じて給水停止する給水装置を備えた洗浄タンク装置において、(ａ)前記補給水吐水口からの補給水を下向きに注水する注水部と、(ｂ)前記タンク内の水位と連動して昇降する浮子と、(ｃ)該注水部からの補給水を受けて該補給水の流れをガイドする働きを有し、前記導水管の上端よりも上側位置と下側位置との間を前記浮子に連動して昇降し、該導水管の上端よりも上側位置で前記注水部からの補給水を受けることで、該補給水を該上端の開口を通じ該導水管の内部に流入させる一方、該上端よりも下側位置で前記注水部からの補給水を受けることで、該補給水を該導水管の外部且つ前記タンク内に流入させる補給水ガイドと、を有する補給水の給水遅延機構を設けたことを特徴とする。
【００１５】
請求項５のものは、請求項４において、前記浮子が前記導水管に対して昇降可能に嵌合されているとともに、該浮子からはアームが立ち上っていて、該アームの上端部に前記補給水ガイドが設けてあり、該補給水ガイドは、前記導水管の上端よりも下側位置で受けた前記補給水を該アームと該導水管との間に流出させるものとなしてあるとともに、該アームと前記導水管との間には、該補給水ガイドから流出した補給水を通水してタンク内部に流入させる通水間隙が設けてあることを特徴とする。
【００１６】
請求項６のものは、洗浄タンク内に吐水するタンク内吐水口と、便器への補給水を吐水する補給水吐水口とを有し、排水弁の開弁により洗浄タンク内の洗浄水が放出されることで給水弁を開いて前記タンク内吐水口と補給水吐水口とから吐水を行い、該タンク内への給水と、該タンク内の導水管を通じて便器への補給水の給水を行うとともに、該タンク内の水位が満水位置まで上昇することで前記給水弁を閉じて給水停止する給水装置を備えた洗浄タンク装置において、(ａ)タンク内の水位と連動して昇降する浮子と、(ｂ)前記補給水吐水口からの補給水を注水開口から下向きに注水する注水部と、を有し、該注水部が、該注水開口を前記導水管の上端の開口よりも上側に位置させて前記補給水を該注水開口から該導水管内に注水する状態と、下側に位置させて該補給水を該注水開口から該導水管の外部且つ前記タンク内に注水する状態との間で前記浮子の昇降と連動して昇降する補給水の給水遅延機構が設けてあることを特徴とする。
【発明の作用・効果】
【００１７】
以上のように請求項１のものは、補給水吐水口からの補給水を下向きに注水する注水部と、注水部からの補給水を受ける、底部に通水孔を有する補給水受部と、その通水孔を開閉する栓体と、タンク内の水位と連動して昇降する浮子とを有し、そして浮子の下降により栓体にて通水孔を閉鎖する一方、浮子の上昇により通水孔を開いて、補給水受部に注水された補給水を通水孔を通じ導水管内に流入させる補給水の給水遅延機構を設けたものである。
【００１８】
この請求項１の洗浄タンク装置では、洗浄タンク内の洗浄水が便器に向けて放出され、タンク内の水位が低下するときには、浮子を下降させ、栓体にて補給水受部の底部の通水孔を閉鎖することで、補給水吐水口からの補給水を補給水受部から溢出させて導水管の外部、即ちタンク内部へと流入させることができる。
即ちサイホンが起るまでの間に便器に向けて補給水が給水されてしまい、その間の補給水が無駄に消費されてしまうのを防ぐことができる。
【００１９】
この請求項１の洗浄タンク装置では、排水弁が閉じられてタンク内の水位が下降から上昇に転じ、その水位が設定位置まで上昇した時点から、水位に連動して浮子を上昇させることで、それまで通水孔を閉じていた栓体を通水孔から離間させ、通水孔を開放状態とする。
ここにおいて注水部から補給水受部に注水された補給水を、その通水孔を通じ導水管内に流入させ、補給水として便器に給水することができる。
そして便器への補給水の給水は、タンク内の水位が満水位置まで上昇し、給水装置からの給水が停止することで同時に終了する。
【００２０】
即ち請求項１の洗浄タンク装置は、タンクへの給水の後期において所定時間の間便器に向けて補給水を給水するもので、このときに便器に給水した補給水はその全てをサイホン後に便器に溜水を溜めるための水として用いることができ、従って補給水が無駄に失われてしまう問題を解決し得て、効果的に節水を図ることができる。
【００２１】
また大洗浄時，小洗浄時を問わず便器に向けての補給水の給水量を同じとすることができるため、従来のように小洗浄時に合せて補給水の水量を設定することで、大洗浄時に補給水を過剰に便器に給水してしまい、その過剰分が無駄に失われてしまうといった問題も解決することができる。
【００２２】
ここで補給水受部は、鉢形状等の容器状となしておくことができる。
またこの請求項１において、導水管としてオーバーフロー管を用いることができる。但し寒冷地等において凍結防止のための流動水を便器に向けて流出させる管を導水管として用いることも可能である。
またこの請求項１において、浮子に連動して昇降する栓体又は補給水受部は、導水管に沿って昇降するようになしておくことができる。
この場合において栓体又は補給水受部は、浮子と一体に構成しておくことができる。
更にその浮子は、導水管に対し昇降可能に嵌合させておくことができる。
この場合において導水管と浮子との間には、浮子を導水管に対し回転方向に位置決めしつつ浮子の昇降をガイドする昇降ガイドを設けておくことができる。
またその昇降ガイドは、導水管と浮子との一方に設けられた上下方向の突条と、他方に設けられ、その突条に摺動可能に嵌合する溝とで構成しておくことができる。
【００２３】
ここで補給水受部には、周方向の一部に、補給水受部で受けた補給水を導水管の外部に案内する働きを有する流出ガイドを設けておくことができる（請求項２）。
このようにしておけば、栓体により通水孔を閉鎖した状態の下で注水部から補給水受部に注水された補給水を、周方向の一部の流出ガイドを通じ、円滑に導水管の外部且つタンク内に向けて流出させることができる。
【００２４】
これらの場合において、上記栓体を、補給水受部の上側に浮子と連動して昇降する状態に設けておき、そしてその栓体を、上部が円錐状を、下部が逆円錐状を、中間部が柱状をなす形状に構成しておくことができる（請求項３）。
このようにすれば、注水部から下向きに落下した補給水を、栓体の上部の円錐状部，中間の柱状部，下部の逆円錐状部を伝って円滑に且つ静かに下向きに流すことができ、注水部からの補給水を補給水受部に向けて滑らかに流動させ、案内することができる。
【００２５】
また栓体が補給水受部の通水孔を開放した状態の下では、栓体を伝って下向きに流れた補給水を通水孔に向けて集めることができ、注水部から落下した補給水を滑らかに導水管内に流入させることができる。
【００２６】
次に請求項４は、注水部と、浮子と、注水部からの補給水を受けて補給水の流れをガイドする働きを有する補給水ガイドを含む、補給水の給水遅延機構を設けたものである。
ここで補給水ガイドは、導水管の上端よりも上側位置と下側位置との間を浮子に連動して昇降し、導水管の上端よりも上側位置で注水部からの補給水を受けることで、補給水をその上端の開口を通じ導水管の内部に流入させる一方、上端よりも下側位置で注水部からの補給水を受けることで、補給水を導水管の外部且つタンク内に流入させる。
【００２７】
この請求項４の洗浄タンク装置においても、サイホン作用が起るまでの間に便器に向けて補給水が給水されてしまうことで、補給水が無駄に失われてしまう問題を解決することができ、また大洗浄時，小洗浄時の何れの場合にも便器に給水する補給水量を一定とすることができ、適正な時期に且つ適正な水量で補給水を便器に給水することができる。
【００２８】
この請求項４においても、導水管としてオーバーフロー管を用いることができる。但し寒冷地等において凍結防止のための流動水を便器に向けて流出させる管を導水管として用いることも可能である。
またこの請求項４において、浮子に連動して昇降する補給水ガイドは、導水管に沿って昇降するようになしておくことができる。
この場合において補給水ガイドは、浮子と一体に構成しておくことができる。
更にその浮子は、導水管に対し昇降可能に嵌合させておくことができる。
この場合において導水管と浮子との間には、浮子を導水管に対し回転方向に位置決めしつつ浮子の昇降をガイドする昇降ガイドを設けておくことができる。
またその昇降ガイドは、導水管と浮子との一方に設けられた上下方向の突条と、他方に設けられ、その突条に摺動可能に嵌合する溝とで構成しておくことができる。
【００２９】
次に請求項５は、浮子を導水管に対し昇降可能に嵌合しておくとともに、浮子からはアームを立ち上げて、そのアームの上端部に補給水ガイドを設けておき、その補給水ガイドは、導水管の上端よりも下側位置で受けた補給水をアームと導水管との間に流出させるものとなしてあるとともに、アームと導水管との間には、補給水ガイドから流出した補給水を通水してタンク内部に流入させる通水間隙を設けたもので、この請求項５によれば、通水管の上端よりも下側位置で補給水ガイドが注水部からの補給水を受けたときに、これを通水間隙を通じて円滑にタンク内部に流入させることができる。
【００３０】
次に請求項６は、浮子と、注水部とを有する補給水の給水遅延機構を設け、そしてその注水部を、注水開口を導水管の上端の開口よりも上側位置に位置させる状態と下側位置に位置させる状態との間で、浮子の昇降と連動して昇降するようになしたもので、この請求項６では、注水開口が導水管の上端の開口よりも上側位置に位置した状態の下では、補給水が注水開口から導水管の上端の開口を通じ導水管内に注水され、また注水開口が導水管の上端よりも下側位置に位置する状態では、補給水が注水開口からの導水管の外部且つタンク内に注水される。
【００３１】
従ってこの請求項６の洗浄タンク装置においても、サイホンが起るまでの間に便器に向けて補給水が給水されてしまい、補給水が無駄に消費されてしまう問題を解決することができる。
また大洗浄時，小洗浄時の何れにおいても設定した水量で補給水を便器に給水することができ、大洗浄時と小洗浄時とで補給水の給水量を一定水量とすることができる。
【００３２】
この請求項６においても、導水管としてオーバーフロー管を用いることができる。但し寒冷地等において凍結防止のための流動水を便器に向けて流出させる管を導水管として用いることも可能である。
またこの請求項６において、浮子に連動して昇降する注水部は導水管に沿って昇降するようになしておくことができる。
この場合において注水部は、浮子と一体に構成しておくことができる。
更にその浮子は、導水管に対し昇降可能に嵌合させておくことができる。
この場合において導水管と浮子との間には、浮子を導水管に対し回転方向に位置決めしつつ浮子の昇降をガイドする昇降ガイドを設けておくことができる。
またその昇降ガイドは、導水管と浮子との一方に設けられた上下方向の突条と、他方に設けられ、その突条に摺動可能に嵌合する溝とで構成しておくことができる。
【図面の簡単な説明】
【００３３】
【図１】本発明の一実施形態の洗浄タンク装置を外観状態で便器とともに示した図である。
【図２】図１の洗浄タンクの内部の構造を示した図である。
【図３】同実施形態における給水遅延機構を示した斜視図である。
【図４】図３の要部の断面図である。
【図５】図３の補給水受部及びオーバーフロー管を分離した状態で示した斜視図である。
【図６】図３の浮子を周辺部とともに示した斜視図である。
【図７】同実施形態における給水遅延機構の作用説明図である。
【図８】図７に続く作用説明図である。
【図９】便器の洗浄動作の説明図である。
【図１０】図９に続く便器の洗浄動作の説明図である。
【図１１】本発明の他の実施形態における給水遅延機構を示した図である。
【図１２】図１１の給水遅延機構の補給水受部と浮子を分離して示した図である。
【図１３】同実施形態における給水遅延機構の作用説明図である。
【図１４】本発明の更に他の実施形態における給水遅延機構を示した図である。
【図１５】本発明の更に他の実施形態における給水遅延機構を示した図である。
【図１６】同実施形態における給水遅延機構の作用説明図である。
【図１７】本発明の更に他の実施形態における給水遅延機構を示した図である。
【図１８】本発明の更に他の実施形態における給水遅延機構を示した図である。
【図１９】同実施形態における給水遅延機構の作用説明図である。
【発明を実施するための形態】
【００３４】
次に本発明の実施形態を図面に基づいて詳しく説明する。
図１において、１０は便器１２に対して洗浄水を放出し、便器洗浄を行う洗浄タンク装置で、１４は内部に洗浄水を貯える洗浄タンク（以下単にタンクとすることがある）である。
この洗浄タンク１４の内部には給水装置として図２に示すボールタップ１６が配設されている。
【００３５】
図２において、１８はボールタップ１６の本体部で、この本体部１８に対し、縦向きに配管された給水管２０の図中上端部が接続具２２にて接続されている。
２４はボールタップ１６におけるフロートで、このフロート２４は、洗浄タンク１４内の洗浄水の水位に連動して昇降運動する。
【００３６】
ボールタップ１６の本体部１８には給水弁２６が内蔵されており、この給水弁２６とフロート２４とが、連繋アーム２８にて連繋されている。
連繋アーム２８は、軸２８Ａ周りに回動運動する回動部２８ａと、フロート２４から上向きに突き出し、フロート２４と一体に昇降する軸部２８ｂとを有しており、それら回動部２８ａと軸部２８ｂとが各端部において隙間をもって係合している。
【００３７】
上記本体部１８からは、給水弁２６の下流部においてタンク内吐水口３０と、補給水吐水口３２とが突き出している。
タンク内吐水口３０は、タンク１４内に吐水し給水を行うもので下向きをなしており、また補給水吐水口３２は、便器１２に向けて補給水を吐水し給水するもので横向きをなしている。
そしてこの補給水吐水口３２に対して、可撓性の補給水管３４の一端側が差込接続されている。
この補給水管３４は、他端側が後述の注水部６０に差込接続されている。
このボールタップ１６は、タンク内の水位に連動してフロート２４が昇降することで給水弁２６を開閉し、タンク１０内への給水と給水停止とを自動的に行う。
【００３８】
このボールタップ１６を含む本実施形態の洗浄タンク装置１０は次のように働く。
図９（Ｉ）は、図２の排水弁（ここではフラッパ弁）３６が閉じられ、タンク１４内の洗浄水の水位が満水位である状態を表している。
このとき便器１２内には設定量の溜水が保持されており、便器１２の排水トラップ部Ｔは、その溜水により封水された状態にある。
この状態でフラッパ弁３６が、図２の玉鎖３８により引き上げられ開弁すると、タンク１４内の洗浄水が図２のタンク底部の放出口４０から放出され、便器１２に向けて勢い良く給水される。
そしてその給水により、図９（II）に示すように便器１２においてサイホン作用が惹起され、便器１２内の溜水が、そのサイホン作用によって排水トラップ部Ｔの下流側へと一挙に排出される。
このときタンク１４内の洗浄水の水位は、放出口４０からの洗浄水の放出により、図９（Ｉ）〜（III）に示すように急激に下降し、そしてその水位が一定位置まで下降すると、ここにおいて図９（III）に示すように排水弁３６が閉弁し、以後水位の下降が止まる。
【００３９】
一方ボールタップ１６においては、タンク１４内の水位の下降に伴ってフロート２４が下降すると、給水弁２６を開いてタンク内吐水口３０と補給水吐水口３２とから同時に吐水を行う。
そしてタンク内吐水口３０からのタンク１４内への給水により、タンク１４内水位は上昇に転じ、そして図１０（IV），（Ｖ），（VI）の各状態を経て、タンク１４内水位が図９（Ｉ）に示す設定された満水位の位置まで上昇すると、これとともに上昇するフロート２４によって給水弁２６が閉弁し、ここにおいてタンク内吐水口３０からのタンク１４内への給水が停止する。
尚この間、補給水吐水口３２からも補給水吐水が行われており、そしてタンク１４内水位が満水位置に到って給水弁２６が閉じることによって、補給水吐水口３２からの吐水もまた停止する。
【００４０】
図２において、４１は洗浄タンク１４内に起立状態に設けられた導水管としてのオーバーフロー管で、このオーバーフロー管４１内に流入した水は放出口４０を通じてそのまま便器１２内へと案内される。詳しくは便器１２の排水トラップ部Ｔに向けて導かれる。
オーバーフロー管４１は、洗浄タンク１４の底部に固定の基部４２と、上部４４とに分かれている。
【００４１】
上部４４には、図３に示しているように差込部４６が設けられており、その差込部４６が基部４２の内部に差し込まれることで、基部４２と上部４４とが接続されている。
ここで差込部４６には、図３に示しているように爪４８が設けられ、その爪４８が、基部４２の対応する掛止部に掛止することで、上部４４が基部４２から抜止めされている。
【００４２】
排水弁３６からは支持アーム５０が延び出している。
その支持アーム５０の先端部にはフック部５２が設けられており、そのフック部５２が、オーバーフロー管４１の基部４２から突出した軸部５４に掛止されることで、排水弁３６が軸部５４回りに回動可能とされている。
【００４３】
図３及び図４において、５６は便器１２への補給水の給水を遅延させる補給水の給水遅延機構で、この給水遅延機構５６は、平面形状及び側面形状が何れも長方形状をなす浮子５８と、注水部６０と、この注水部６０の下側且つオーバーフロー管４１の上側に配置され、注水部６０からの補給水を受けるすり鉢形状の容器状をなす補給水受部６２と、その補給水受部６２の底部に設けられた貫通の通水孔６４を開閉する栓体６６とを有している。
【００４４】
浮子５８は、図６に示しているように長手方向の中央部に円形の嵌合孔６８を有しており、この嵌合孔６８においてオーバーフロー管４１に昇降可能に嵌合されている。
この嵌合孔６８の内面には、周方向の複数個所に、孔中心部に向って突出する縦のリブ７０が設けられている。
これらリブ７０は、オーバーフロー管４１の外面に当接して浮子５８の昇降時の摺動ガイドをなす。
【００４５】
図５に示しているように、オーバーフロー管４１の上部４４には、上記の差込部４６を除いた全高に亘って縦の突条７２が設けられている。
一方、図６に示しているように浮子５８には、上記の嵌合孔６８を形成する円弧状の膨出部７４に、全高に亘り突出部７６が設けられており、その突出部７６の内側に、オーバーフロー管４１の上記の突条７２に嵌り合う溝７８が形成されている。
これら突条７２と溝７８とは、浮子５８を回転方向に位置決めした状態で浮子５８を昇降案内する昇降ガイドとしてのもので、浮子５８は、これら突条７２と溝７８とにより回転方向に位置保持された状態でオーバーフロー管４１に沿って昇降運動する。
【００４６】
図５において、８０は補給水受部６２の支持部であって円筒状をなしており、オーバーフロー管４１の上端部に対して外嵌状態に組み付けられている。
この支持部８０には、周方向所定個所に掛止孔８２が設けられている。
一方オーバーフロー管４１の上端部には、対応する位置に爪８４が設けられており、これら爪８４と掛止孔８２との弾性掛止により、支持部８０がオーバーフロー管４１の上端部に対し軸方向に位置決めされている。
【００４７】
この支持部８０と上記の補給水受部６２とは、周方向の３個所で脚８６により繋がれており、補給水受部６２が、これら脚８６を介して支持部８０により、更にはオーバーフロー管４１により支持されている。
尚、支持部８０には突出部８８が設けられていて、その内側に図４に示す溝９０が形成されている。
そしてこの溝９０と、オーバーフロー管４１に設けられた上記の突条７２の上端部との嵌り合いにより、支持部８０及び補給水受部６２が回転方向に位置決めされている。
【００４８】
補給水受部６２からは、外周部の２個所において支柱９２が起立しており、それら支柱９２の上端部に設けられた台部９４に、上記の注水部６０が設けられている。
ここで注水部６０は円筒形状をなしており、図２に示しているようにこの注水部６０に補給水管３４の他端側が差込接続されている。
この注水部６０は、上端と下端とが開口形状をなしている。
下端の開口は注水開口６０ａ（図１５参照）をなしており、補給水管３４を通じ供給された補給水は、この注水部６０の下端の注水開口６０ａから下向きに、即ち補給水受部６２に向けて注水される。
【００４９】
図６に示しているように、浮子５８の上面からは嵌合孔６８を間にして一対の支柱９６が上向きに立ち上っており、それら支柱９６の上端部が連結部９８にて連結されている。
そしてそれら一対の支柱９６と連結部９８によって、門形をなすブリッジ部１００が形成されている。
そしてこのブリッジ部１００における連結部９８の中心部に、図３に示すように補給水受部６２の上側に位置する栓体６６が一体に設けられている。
即ちこの実施形態では、補給水受部６２の底部の通水孔６４を開閉する栓体６６が、浮子５８と一体に昇降する状態に設けられている。
ここで栓体６６は、下部が逆円錐状部１０２とされ、また他部が柱状部１０４とされている。
【００５０】
尚この実施形態において、栓体６６は図４に示しているように平面視において補給水受部６２の中央に位置しており、また注水部６０は、補給水受部６２の中心から偏心した位置に位置している。
従って注水部６０から下向きに注水された補給水は、補給水受部６２の中心から偏った位置において補給水受部６２に落下する。
【００５１】
図７及び図８は本例の給水遅延機構５６の作用を示している。
尚図７の（Ｉ），（II），（III）は上記の図９の（Ｉ），（II），（III）にそれぞれ対応しており、また図８の（IV），（Ｖ），（VI）は上記の図１０の（IV），（Ｖ），（VI）にそれぞれ対応している。
図７（Ｉ）は、タンク１４内部の水位が満水位置にある状態を示しており、このとき浮子５８は上昇位置にあって、栓体６６は補給水受部６２の底部の通水孔６４から上向きに離間、即ち通水孔６４を開放した状態にある。
尚このとき、栓体６６は注水部６０の設けられた台部９４に当って、そこに位置保持されている。
【００５２】
この状態の下で、図９（II）に示すように排水弁３６の開弁及びこれに続くタンク１４内水位の下降によりボールタップ１６の給水弁２６が開かれると、タンク内吐水口３０から吐水されるのと同時に、即ちタンク１４内に給水が行われるのと同時に、補給水吐水口３２からも吐水が行われる。
而して補給水吐水口３２から吐水された補給水は、注水部６０から下向きに注水される。そしてその注水部６０からの注水が下方の補給水受部６２にて受けられる。
【００５３】
このとき、当初開放状態であった補給水受部６２の通水孔６４は、タンク１４内水位の速やかな下降による浮子５８の下降により、図７（II）に示すように栓体６６にて閉鎖されるため、補給水は通水孔６４を通じてオーバーフロー管４１内に流下することはできず、補給水受部６２に溜められる。
そして引き続き注水部６０から下向きに注水された補給水は、図７（II），（III）に示すように補給水受部６２から溢出して、オーバーフロー管４１の外部即ちタンク１４内に流入する。
【００５４】
タンク内吐水口３０及び補給水吐水口３２からのそれぞれの吐水はその後も引続いて行われるが、図９（III）に示すようにタンク１４内に貯えられていた洗浄水が放出されてその水位が一定位置まで下ると、ここにおいて排水弁３６が閉弁せしめられ、タンク１４内水位の下降が停止する。そしてその後タンク１４内水位は上昇に転じ、図１０（IV），（Ｖ），（VI）に示すようにタンク１４内水位は次第に上昇して行く。
【００５５】
そしてその水位が予め設定した水位に達し、その後更に水位が上昇すると、図８（IV）に示しているように浮子５８が水位とともに上昇開始し、これとともに栓体６６が上昇開始して通水孔６４から離れ、通水孔６４を開放する。
【００５６】
而して通水孔６４が開放されると、注水部６０から補給水受部６２に注水された補給水は、通水孔６４を通じて流下し、オーバーフロー管４１の上端の開口４５からオーバーフロー管４１内に流入し、続いて便器１２の内部へと給水される。
【００５７】
浮子５８はその後もタンク内水位とともに上昇を続け（図８（Ｖ）参照）、そして図８（VI）に示すように栓体６６が台部９４に当接することで更なる上昇が阻止され、そこに停止せしめられる。
このように栓体６６が台部９４に当接して上昇を停止した状態の下でも、引き続き補給水吐水口３２からの吐水は注水部６０，補給水受部６２を経てオーバーフロー管４１内に流入し、便器１２へと給水継続される。
そしてタンク内水位が設定した満水位の位置まで上昇したところで、ボールタップ１６のフロート２４の上昇により給水弁２６が閉弁し、ここにおいてタンク内吐水口３０からのタンク１４内への給水、及び補給水吐水口３２からの便器１２への給水が停止する。
尚この実施形態において、浮子５８の下降端は、栓体６６が補給水受部６２の通水孔６４を閉鎖する状態に補給水受部６２の底部に当接することで規定される。
【００５８】
以上のように本実施形態の洗浄タンク装置１０では、タンク１４内の洗浄水が便器１２に向けて放出され、タンク１４内の水位が低下するときには浮子５８を下降させ、栓体６６にて補給水受部６２の底部の通水孔６４を閉鎖することで、補給水吐水口３２からの補給水を補給水受部６２から溢出させ、オーバーフロー管４１の外部即ちタンク１４内部へと流入させる。
即ちサイホンが起るまでの間に便器１２に向けて補給水が給水されてしまい、その間の補給水が無駄に消費されてしまうのを防ぐことができる。
【００５９】
そして排水弁３６が閉じられてタンク１４内の水位が下降から上昇に転じ、その水位が設定位置まで上昇した時点から、水位に連動して浮子５８を上昇させることで、それまで通水孔６４を閉じていた栓体６６を通水孔６４から離間させ、通水孔６４を開放状態とし、注水部６０から補給水受部６２に注水された補給水を、その通水孔６４を通じオーバーフロー管４１内に流入させ、更に便器１２へと給水する。
【００６０】
かかる本実施形態の洗浄タンク装置１０は、タンク１４への給水の後期において所定時間の間、便器１２に向けて補給水を給水するもので、このときに便器１２に給水した補給水は、その全てをサイホン後に便器１２に溜水を溜めるための水として用いることができ、従って補給水が無駄に失われてしまう問題を解決し得て、効果的に節水を図ることができる。
【００６１】
また大洗浄時，小洗浄時を問わず便器１２に向けての補給水の給水量を同じとすることができるため、従来のように小洗浄時に合せて補給水の水量を設定することで、大洗浄時に補給水を過剰に便器に給水してしまい、その過剰分が無駄に失われてしまうといった問題も解決することができる。
【００６２】
図１１及び図１２は本発明の他の実施形態を示している。
この例では、図１２に示しているように補給水受部６２を、底部１０５が平坦な板状をなす容器状となして、壁部１０７の周方向の一部を切欠き、そこに補給水受部６２で受けた補給水をオーバーフロー管４１の外部に案内する働きを有する流出ガイド１０９を設けている。
【００６３】
また補給水受部６２から立ち上る、平面断面形状が円弧状をなすアーム１０６を補給水受部６２に一体に設けて、その上端に台部１０８を設け、そこに注水部６０を設けている。
ここで注水部６０は、平面視において通水孔６４と同じ位置に配置してある。
一方栓体６６は、上部が円錐状部１１０，下部が逆円錐状部１１２，中間部が柱状部１１４をなす形状とされている。
【００６４】
この実施形態では、注水部６０から下向きに落下した補給水は、図１３に示しているように、先ず注水部６０の真下位置にある栓体６６の上部の円錐状部１１０に当る。
円錐状部１１０に当った補給水は、円錐状部１１０の表面に沿って拡がりながら円錐状部１１０の表面を下向きに流れ、そして中間の柱状部１１４へと到る。
柱状部１１４に流れ着いた補給水は、その後更に柱状部１１４の表面に沿って真下向きに流れた後、下部の逆円錐状部１１２へと到る。
下部の逆円錐状部１１２に流れ着いた補給水は、その後逆円錐状部１１２の表面に沿って求心方向に流れ、最終的に逆円錐状部１１２の下端へと集水する。
【００６５】
而して図１３（II）に示すように栓体６６が補給水受部６２の通水孔６４から上向きに離れ、通水孔６４が開放された状態の下では、栓体６６の表面を伝って下端まで静かに流れた補給水は、そのまま下方へと落下し、その全体が通水孔６４内を通ってオーバーフロー管４１内部へと流入する。
即ちこの実施形態では、注水部６０から落下した補給水は、その全体が良好に通水孔６４へと集められてこれを通過し、オーバーフロー管４１内に流入する。
【００６６】
図３〜図６に示すものにおいては、栓体６６を補給水受部６２の通水孔６４から上向きに引き上げた状態、即ち通水孔６４を開放した状態の下で、注水部６０から補給水を下向きに注水したとき、下向きに落ちた補給水が、すり鉢形状をなす補給水受部６２の斜めの鉢面に当って跳ね飛び、通水孔６４からオーバーフロー管４１内部に入らずに、補給水受部６２の外側、つまりオーバーフロー管４１の外部に飛び出してしまう恐れがある。
この場合、本来便器１２に向けて給水されるはずの補給水が便器１２に給水されないこととなり、補給水の水量が予定した水量よりも少なくなってしまう恐れがある。
【００６７】
しかるにこの実施形態では、注水部６０から落下した補給水の一部が通水孔６４からオーバーフロー管４１内に入らずに、タンク１４内に跳ね飛んでしまうといったことがなく、注水部６０から落下した補給水の全体を便器１２に向けて給水することができる。
これにより、予定した水量で確実に便器１２の補給水を給水することができる。
【００６８】
尚、図１３（Ｉ）に示しているように通水孔６４が栓体６６にて閉鎖された状態の下で、注水部６０から落下した補給水は、栓体６６の表面を伝って静かに下向きに流れた後、栓体６６の表面から補給水受部６２の底部に静かに移流し、更に補給水受部６２の壁部１０７に案内されて、周方向の一部の流出ガイド１０４からオーバーフロー管４１の外部且つタンク１４内に流入する。
【００６９】
上記実施形態では補給水受部６２を固定状態とし、栓体６６を補給水受部６２よりも上側に配置して、これを浮子５８と一体に昇降させるようになしているが、図１４に示しているように栓体６６を固定状態に設ける一方、その上側に補給水受部６２を配置してこれをフロート５８と一体化し、補給水受部６２を昇降させることによって、栓体６６により補給水受部６２の底部の通水孔６４を開閉するようになすことも可能である。
尚図１４に示す例では、補給水受部６２を図３〜図６に示すものと同形状とし、また一方栓体６６を図１１，図１２に示すものと同形状としているが、勿論補給水受部６２を図１１及び図１２に示す形状と同形状とすること、或いはその他の形状とすることも可能である。
【００７０】
図１５及び図１６は本発明の更に他の実施形態を示している。
この実施形態では、図１５に示しているようにオーバーフロー管４１の上端部に取り付けられた支持部８０から一対の支柱９２を立ち上げて、その上端部に台部９４を設け、その台部９４に円筒形状をなす注水部６０を、平面視においてオーバーフロー管４１の外側位置に設ける一方、浮子５８から円弧状をなすアーム１１５を立ち上げて、その上部に補給水ガイド１１６を一体に設けている。
ここで補給水ガイド１１６は注水部６０の真下位置に設けられており、その真下位置においてオーバーフロー管４１の上端よりも上側位置と下側位置との間を浮子５８と一体に昇降運動する。
【００７１】
この補給水ガイド１１６は、底板部１１８と、底板部１１８の幅方向両端から平行に立ち上る一対の壁部１２０とを有する、上面が開放形状をなす樋状の形状をなしており、その内側に注水部６０から落下した補給水を案内する案内流路を形成している。
ここで底板部１１８は、上端から下方に進むに連れてオーバーフロー管４１に接近する傾斜形状をなしている。
従ってこの補給水ガイド１１６は、注水部６０から下方に落下した補給水を、オーバーフロー管４１の側に向けて流動案内する。
【００７２】
この実施形態では、補給水ガイド１１６が、オーバーフロー管４１の上端よりも下側位置で受けた注水部６０からの補給水を、アーム１１５とオーバーフロー管４１との間に流出させるものとなしてある。
またアーム１１５は、オーバーフロー管４１周りに略半環状をなす間隙を形成するものとなしてあり、その間隙が、補給水ガイド１１６からオーバーフロー管４１とアーム１１５との間に流出した補給水を通水してタンク１４内部に流入させる通水間隙１１９とされている。
尚この実施形態では、浮子５８の下降端を規定するストッパ１２１が、オーバーフロー管４１に設けてある。
具体的には、ここではストッパ１２１がオーバーフロー管４１の上記の突条７２に一体に設けてある。
【００７３】
図１６は、この実施形態の補給水の給水遅延機構５６の作用を表している。
図１６（Ｉ）は、浮子５８が上記のストッパ１２１にて規定される下降端まで下降した状態を示しており、このとき注水部６０から下向きに注水された補給水は、補給水ガイド１１６に落下した後、オーバーフロー管４１とアーム１１５との間に流出し、そして上記の通水間隙１１９を通水してタンク１４内に流入する。
即ち図１６（Ｉ）の状態で注水部６０から下向きに注水された補給水は、オーバーフロー管４１を通じて便器１２へと給水されることはない。
【００７４】
一方図１６（II）はタンク１４内水位の上昇に伴って浮子５８が上昇端まで上昇した状態を表しており、このとき注水部６０から下向きに注水された補給水は、補給水ガイド１１６により案内されてオーバーフロー管４１の上端の開口４５からオーバーフロー管４１内に流入する。
このようにしてオーバーフロー管４１内に流入した補給水は便器１２へと給水される。
【００７５】
この実施形態の洗浄タンク装置１０においても、サイホン作用が起るまでの間に便器１２に向けて補給水が給水されてしまうことで、補給水が無駄に失われてしまう問題を解決することができ、また大洗浄時，小洗浄時の何れの場合にも便器１２に給水する補給水量を一定とすることができ、適正な時期に且つ適正な水量で補給水を便器１２に給水することができる。
【００７６】
尚この図１５，図１６の実施形態では、補給水ガイド１１６が浮子５８と一体に構成され、浮子５８とともに一体移動するようになしてあるが、図１７に示しているように、図１５に示すのと異なった形状若しくは同じ形状の補給水ガイド１１６を、オーバーフロー管４１に固定の軸１２４周りに上下に回動する状態に設けておき、そして浮子５８の上昇により、補給水ガイド１１６をオーバーフロー管４１の上端よりも上側位置として、注水部６０から落下した補給水をその補給水ガイド１１６によりオーバーフロー管４１内部に流入させ、また一方、浮子５８の下降により補給水ガイド１１６をオーバーフロー管４１の上端よりも下側位置且つこれを上記とは逆向きに傾斜した状態とし、注水部６０から落下した補給水をタンク１４内へと流入させるようになすといったことも可能である。
【００７７】
図１８は本発明の更に他の実施形態を示している。
この例は、図１５の補給水ガイド１１６に代えて、アーム１１５の上端部に注水部６０自体を一体に構成した例である。
ここで注水部６０は、図中下方に進むに連れてオーバーフロー管４１に接近する傾斜形状で設けられている。
この実施形態では、注水部６０における注水開口６０ａがオーバーフロー管４１の上端よりも上側に位置する状態と下側に位置する状態との間で、注水部６０が浮子５８と一体に昇降するようになしてある。
【００７８】
而して注水開口６０ａがオーバーフロー管４１の上端よりも上側に位置する状態で、注水部６０の注水開口６０ａから補給水が注水されると、その補給水はオーバーフロー管４１の上端の開口４５を通じオーバーフロー管４１内部に流入し、その後便器１２へと給水される。
【００７９】
他方、図１９（Ｉ）に示しているように注水開口６０ａがオーバーフロー管４１の上端よりも下側に位置した状態で、注水開口６０から注水が行われると、その注水即ち補給水は、アーム１１５とオーバーフロー管４１との間の通水間隙１１９を通水し、タンク１４内部に流入する。
即ちこの実施形態においても、アーム１１５とオーバーフロー管４１との間に略半環状をなす通水間隙１１９が形成される。
尚この実施形態において、浮子５８は外周壁１３２と内周壁１３４と上壁１３６とを有し、下面が開放された形状をなしており（この点は上記の各実施形態においても同様）、その内周壁１３４とオーバーフロー管４１との間に、上記の通水間隙１１９に続く通水間隙１３８を形成するようになっている。
【００８０】
オーバーフロー管４１の上端には、軸直角方向外向きの突部１２６が設けられ、また一方浮子５８には、その上端に軸直角方向内向きの突部１２８が設けられ、それらによって浮子５８がオーバーフロー管４１から図中上向きに抜け防止されている。
即ちこれら突部１２６，１２８によって、浮子５８の上昇端が規定されるようになっている。
一方アーム１１５の上端にはストッパ１３０が設けられており、このストッパ１３０がオーバーフロー管４１の上端に当ることで、浮子５８の下降端が規定されるようになっている。
【００８１】
この実施形態においても、サイホンが起るまでの間に便器１２に向けて補給水が給水されてしまい、補給水が無駄に消費されてしまう問題を解決することができる。
また大洗浄時，小洗浄時の何れにおいても設定した水量で補給水を便器に給水することができ、大洗浄時と小洗浄時とで補給水の給水量を一定水量とすることができる。
【００８２】
以上本発明の実施形態を詳述したがこれらはあくまで一例示であり、本発明はその趣旨を逸脱しない範囲において種々変更を加えた形態で構成可能である。
【符号の説明】
【００８３】
１０  洗浄タンク装置
１２  便器
１４  洗浄タンク
１６  ボールタップ（給水装置）
３０  タンク内吐水口
３２  補給水吐水口
３６  排水弁
４１  オーバーフロー管（導水管）
４５  開口
５６  給水遅延機構
５８  浮子
６０  注水部
６０ａ  注水開口
６２  補給水受部
６４  通水孔
６６  栓体
７２  突条
７８  溝
１０９  流出ガイド
１１０  円錐状部
１１２  逆円錐状部
１１４  柱状部
１１５  アーム
１１６  補給水ガイド
１１９，１３８  通水間隙
【図１】
0005740712.tif 000002
【図２】
0005740712.tif 000003
【図３】
0005740712.tif 000004
【図４】
0005740712.tif 000005
【図５】
0005740712.tif 000006
【図６】
0005740712.tif 000007
【図７】
0005740712.tif 000008
【図８】
0005740712.tif 000009
【図９】
0005740712.tif 000010
【図１０】
0005740712.tif 000011
【図１１】
0005740712.tif 000012
【図１２】
0005740712.tif 000013
【図１３】
0005740712.tif 000014
【図１４】
0005740712.tif 000015
【図１５】
0005740712.tif 000016
【図１６】
0005740712.tif 000017
【図１７】
0005740712.tif 000018
【図１８】
0005740712.tif 000019
【図１９】
0005740712.tif 000020